(57)【要約】【課題】新規なデジタル印刷デバイスの提供。【解決手段】リール供給式印刷機内で静的印刷されるウェブの動的印刷用の印刷デバイス。該デバイスはセンサー(23)を用いて印刷機内での静的印刷と同調して動的印刷を実施し、センサー(23)がヘッド(22)と共にウェブ搬送方向と交わるメンバー(24)上に再配置でき、センサー(23)は動的印刷ポジションを調整するべくウェブを測定するよう機能し、単一源(27)からの信号(28)はインターフェース(26)を介してデバイスに提供でき、信号は印刷機の速度信号と胴トリガー信号を含み、制御部(29)は胴トリガー信号とセンサー(23)の測定値(30)に依存して胴トリガー信号からデバイス用の同期信号を発生させて制御部(25)に提供し、トランスフォーマ(33)は速度信号と動的プリント解像度に依存して速度信号からデバイス用供給信号(34)を発生させ、制御部(25)がそれを利用可能とし同期・供給信号に依存してヘッド(22)を作動させる。【選択図】図２
2014040098.tif 000002
【特許請求の範囲】
【請求項１】
リール供給式印刷機内で静的に印刷される少なくとも一つの基体ウェブの動的印刷のためのデジタル印刷デバイスであって、前記デジタル印刷デバイスは、少なくとも一つのポジションセンサー（２３）を用いて、前記リール供給式印刷機内での静的印刷と同調して前記動的印刷を実施し、前記少なくとも一つのポジションセンサー（２３）は、少なくとも一つのデジタル印刷ヘッド（２２）と共に、前記個々の基体ウェブの搬送方向と交差するように少なくとも一つのクロスメンバー（２４）上で再配置可能であり、かつ、前記少なくとも一つのポジションセンサー（２３）は、前記動的印刷のためのプリントポジションを調整するために前記個々の基体ウェブを測定するために機能し、前記リール供給式印刷機の単一の源（２７）からの信号（２８）は、インターフェース（２６）を介して、前記デジタル印刷デバイスに対して提供することができ、前記信号は前記リール供給式印刷機の速度信号および前記リール供給式印刷機の胴トリガー信号の少なくとも一つを含み、ポジションセンサー制御部（２９）は、前記胴トリガー信号に、そして前記または各ポジションセンサー（２３）の測定値（３０）に依存して、前記胴トリガー信号から前記デジタル印刷デバイスのための同期信号（３１）を発生させると共にデジタル印刷ヘッド制御部（２５）に提供し、速度信号トランスフォーマ（３３）は、前記速度信号および所定の動的プリント解像度に依存して、前記速度信号から前記デジタル印刷デバイス用の供給信号（３４）を発生させ、前記デジタル印刷ヘッド制御部（２５）にとってそれを利用可能とし、かつ、前記デジタル印刷ヘッド制御部（２５）は、前記同期信号に依存し、かつ、前記供給信号に依存して、前記あるいは各デジタル印刷ヘッド（２２）を作動させることを特徴とするデジタル印刷デバイス。
【請求項２】
前記リール供給式印刷機の前記信号源（２７）、前記または各ポジションセンサー（２３）、前記ポジションセンサー制御部（２９）、前記速度信号トランスフォーマ（３３）、前記デジタル印刷ヘッド制御部（２５）および前記または各デジタル印刷ヘッド（２２）は、前記動的印刷のための時間節約的データを、好ましくはハードウエア信号として交換することを特徴とする請求項１に記載のデジタル印刷デバイス。
【請求項３】
前記ポジションセンサー制御部（２９）はさらに、前記胴トリガー信号に、そして前記または各ポジションセンサー（２３）の測定値に依存して、前記基体ウェブの前記動的印刷のためのプリントポジションを調整し、かつ、これに依存して、前記または各クロスメンバー（２４）を作動させることを特徴とする請求項１または請求項２に記載のデジタル印刷デバイス。
【請求項４】
前記デジタル印刷デバイスには前記信号（２８）が提供され、この信号（２８）は、ハードウエア信号として、前記リール式供給印刷機の単一の信号源（２７）からの前記速度信号および前記胴トリガー信号を含み、前記リール供給式印刷機の前記単一の信号源（２７）は、前記リール供給式印刷機の中央ピックアップあるいは前記リール供給式印刷機のエンコーダであることを特徴とする請求項１ないし請求項３のいずれか１項に記載のデジタル印刷デバイス。
【請求項５】
前記または各ポジションセンサー（２３）、前記ポジションセンサー制御部（２９）、前記速度信号トランスフォーマ（３３）、前記デジタル印刷ヘッド制御部（２５）およびオペレータインターフェース（３６）は、さらに、ネットワーク（３７）を介して、好ましくはネットワーク信号として、前記動的印刷のために非時間節約的データを交換することを特徴とする請求項１ないし請求項４のいずれか１項に記載のデジタル印刷デバイス。
【請求項６】
前記オペレータインターフェース（３６）を介して、前記または各ポジションセンサー（２３）に関する前記動的プリント解像度および/または輝度およびコントラストデータなどの前記動的印刷のためのプリセット値、および/または、前記動的印刷の前記プリントポジションに関する設定値が調整可能であり、かつ、ネットワークデータとして前記ネットワーク（３７）を介して付随する前記アセンブリへと伝送可能であることを特徴とする請求項５に記載のデジタル印刷デバイス。
【請求項７】
前記動的印刷のための前記または各デジタル印刷ヘッド（２２）の印刷インキ供給源（３８）は、好ましくはハードウエア信号としての時間節約的データを前記デジタル印刷ヘッド制御部（２５）と交換し、かつ、前記動的印刷に関して、好ましくは前記ネットワーク（２７）を介したネットワークデータとして非時間節約的データを交換することを特徴とする請求項１ないし請求項６のいずれか１項に記載のデジタル印刷デバイス。
【請求項８】
前記速度信号トランスフォーマ（３３）は、さらに前記リール供給式印刷機の胴外周に依存して、前記デジタル印刷デバイスのための前記供給信号を形成することを特徴とする請求項１ないし請求項７のいずれか１項に記載のデジタル印刷デバイス。
【請求項９】
前記ポジションセンサー制御部（２９）はさらに、前記リール供給式印刷機の胴の各胴回転に関する前記胴トリガーインパルスの数の関数として前記デジタル印刷デバイスのための前記同期信号を形成することを特徴とする請求項１ないし請求項８のいずれか１項に記載のデジタル印刷デバイス。
【請求項１０】
少なくとも、前記リール供給式印刷機の前記速度信号と、前記動的印刷のための所定のプリント解像度を備えた前記デジタル印刷デバイスのための前記供給信号との間のデータ比較によって、前記動的印刷の、そして前記静的印刷の前記最大印刷速度が適合させられ、かつ、互いに制限されることを特徴とする請求項１ないし請求項９のいずれか１項に記載のデジタル印刷デバイス。
【請求項１１】
リール供給式印刷機（１０）であって、プリントエディションに関して不変であるプリントイメージを備えた少なくとも一つの基体ウェブ（１５，１６，１７）の少なくとも一つの基体ウェブ面の静的印刷のための複数の印刷ユニット（１４）、特にオフセット印刷ユニットを備え、かつ、少なくとも一つのデジタル印刷デバイス、特に、少なくともいくつかのプリントコピーに関して変更可能であるプリントイメージを備えた少なくとも一つの基体ウェブ（１５）の動的印刷のための少なくとも一つのインクジェット印刷デバイスを備え、前記デジタル印刷デバイスは、請求項１ないし請求項１０のいずれか１項の記載に基づいて具現化されることを特徴とするリール供給式印刷機（１０）。
【発明の詳細な説明】
【技術分野】
【０００１】
本発明は、請求項１のプレアンブルに記載された、静的に印刷された基体ウェブの動的印刷のためのデジタル印刷デバイス、および請求項１１のプレアンブルに記載された、そうしたデジタル印刷デバイスを備えたリール供給式印刷機に関する。
【背景技術】
【０００２】
リール供給式印刷機は、少なくとも一つの基体ウェブ面の静的印刷のための複数の印刷ユニットを有し、少なくとも一つの基体ウェブは同一のあるいはプリントコピー、したがって静的であるプリントイメージを備える。各プリントコピーは、この場合、通常、複数の印刷ページを含む。そうした印刷ユニット（これは上記または各基体ウェブの静的印刷のために機能する）は、通常、オフセット印刷ユニットとして具現化される。そうした印刷ユニットがグラビア印刷ユニットとして具現されることも同様に可能である。
【０００３】
従来公知のリール供給式印刷機においては、印刷ユニットに加えて、少なくとも一つのデジタル印刷デバイスを設けることは既に普通であり、これは、動的印刷によるプリントコピーを個別化するために全てのプリントコピーに関して同一であるプリントイメージを備えた上記あるいは各基体ウェブの静的印刷のために機能する。動的印刷のためのそうしたデジタル印刷デバイスは、好ましくは、インクジェット印刷デバイスであり、それを用いることで、少なくとも一つの基体ウェブの少なくとも一つの基体ウェブ面に、少なくともいくつかのプリントコピーに関して変更可能であるプリントイメージを印刷することが、すなわち動的に印刷することができる。
【０００４】
例えば、特許文献１および２から、リール供給式印刷機内での静的印刷のためのライン内での、静的に印刷された基体ウェブの動的印刷のためのデジタル印刷デバイスを備えたリール供給式印刷機が公知である。
【０００５】
さらに、従来技術から、既に静的に印刷された基体ウェブの動的印刷のためのデジタル印刷デバイスが、好ましくはインクジェット印刷ヘッドとして具現された少なくとも一つのデジタル印刷ヘッドを備えることが知られており、このデジタル印刷ヘッドは、ポジションセンサーと共に、基体ウェブの搬送方向と交差するようにクロスメンバー上に再配置可能に搭載される。ポジションセンサーを用いることで、動的に印刷される基体ウェブは、制御に関して基体ウェブの動的印刷のためのプリントポジションを決定するために測定することができる。
【０００６】
動的インプレッションを備えた静的に印刷された基体ウェブの個別化は原理的に既に公知であるが、リール供給式印刷機内での動的印刷のためのデジタル印刷デバイスの一体化には困難があり、特に、静的に印刷された基体ウェブの動的印刷が僅かな労力でユーザーフレンドリーな様式でリール供給式印刷機内での静的印刷と同調して実施可能であることを推定することが保証されない。
【先行技術文献】
【特許文献】
【０００７】
【特許文献１】独国特許出願公開第10 2007 028 454号明細書
【特許文献２】独国特許出願公開第10 2007 028 452号明細書
【発明の概要】
【発明が解決しようとする課題】
【０００８】
上記に鑑みて、本発明の目的は、新規なタイプの、静的に印刷された基体ウェブの動的印刷のためのデジタル印刷デバイスおよびそうしたデジタル印刷デバイスを備えたリール供給式印刷機を提供することである。
【課題を解決するための手段】
【０００９】
この目的は、請求項１に記載のデジタル印刷デバイスによって解決される。
【００１０】
本発明によれば、デジタル印刷デバイスは、リール供給式印刷機の単一の源から、インターフェースを介して、信号の提供を受けることができ、当該信号は、リール供給式印刷機の速度信号およびリール供給式印刷機の胴トリガー信号の少なくとも一つを含み、ポジションセンサー制御部は、胴トリガー信号に、そして上記または各ポジションセンサーの測定値に依存して、胴トリガー信号からデジタル印刷デバイスのための同期信号を発生させると共にデジタル印刷ヘッド制御部にとってそれを利用可能とし、速度信号トランスフォーマは、速度信号および所定の動的プリント解像度に依存して、速度信号からデジタル印刷デバイス用の供給信号を発生させ、デジタル印刷ヘッド制御部にとってそれを利用可能とし、かつ、デジタル印刷ヘッド制御部は、同期信号の関数として、かつ、供給信号の関数として、上記あるいは各デジタル印刷ヘッドを作動させる。
【００１１】
本発明によれば、デジタル印刷デバイスを、リール供給式印刷機の単一の源を介して、動的印刷にとって時間節約的なデータに対して排他的に結合することが提案される。したがって、リール供給式印刷機の単一の源はデジタル印刷デバイスに信号を提供するが、これは、一方では、リール供給式印刷機の速度信号を、そして他方では、リール供給式印刷機の胴トリガー信号を含む。
【００１２】
胴トリガー信号に、そして上記および各ポジションセンサーの測定値に依存して、ポジションセンサー制御部は、胴トリガー信号からデジタル印刷デバイスのための同期信号を決定し、この同期信号をデジタル印刷ヘッド制御部にとって利用可能とする。
【００１３】
リール供給式印刷機の速度信号および所定の動的プリント解像度に依存して、速度信号トランスフォーマは、リール供給式印刷機の速度信号から動的印刷のためのデジタ印刷デバイスのための供給信号を決定し、それをデジタル印刷ヘッド制御部にとって利用可能とする。
【００１４】
同期信号および供給信号に基づいて、デジタル印刷ヘッド制御部は、ライン内でリール供給式印刷機での基体ウェブの静的印刷に加えて、個々の基体ウェブを動的に印刷するために、そして、これによって、プリントコピーの個別化を実施することも可能となるようにするために、上記または各デジタル印刷ヘッドを作動させる。
【００１５】
さらに、動的印刷の、そして静的印刷の最大プリント速度は、動的印刷のための所定のプリント解像度とのデータ比較によって、制限しかつ互いに適合させることができる。このデータ比較は、少なくとも、リール供給式印刷機の速度信号と、デジタル印刷デバイスのための供給信号との間で実施される。
【００１６】
リール供給式印刷機内のライン内での、静的に印刷された基体ウェブの動的印刷のための、本発明に基づくデジタル印刷デバイスのシステム構成は、動的インプレッションを伴う静的に印刷された基体の個別化を、ユーザーフレンドリーな様式で可能とする。
【００１７】
好ましくは、リール供給式印刷機の信号源、上記あるいは各ポジションセンサー、ポジションセンサー制御部、速度信号トランスフォーマ、デジタル印刷ヘッド制御部および動的印刷のための上記または各デジタル印刷ヘッドは、好ましくはハードウエア信号として、時間節約的データを交換する。
【００１８】
上記または各ポジションセンサー、ポジションセンサー制御部、速度信号トランスフォーマ、デジタル印刷ヘッド制御部、およびオペレータインターフェースは、さらに、データネットワークを介して、好ましくは動的印刷のためのネットワーク信号として、非時間節約的データを交換する。
【００１９】
ハードウエア信号としての動的印刷のための時間節約的データのデータ交換、ならびに、ネットワーク信号としての動的印刷のための非時間節約的データのデータ交換は、特に好ましく、そしてリール供給式印刷機における動的印刷のためのデジタル印刷デバイスの簡単な一体化を可能とする。
【００２０】
リール供給式印刷機における動的印刷のためのデジタル印刷デバイスを一体化するために、リール供給式印刷機の既存の制御システムにおける介入は必要とされない。
【００２１】
本発明の有利なさらなる展開によれば、動的印刷のためのデジタル印刷デバイスは信号の提供を受けることができるが、この信号は、速度信号およびリール供給式印刷機の単一の信号源からの胴トリガー信号を含み、リール供給式印刷機の単一の信号源は、リール供給式印刷機の中央ピックアップあるいはリール供給式印刷機のエンコーダである。中央ピックアップは実務から知られているように全てのリール供給式印刷機内に存在し、さらなるハードウエア作業を要さずに、信号（これは速度信号および胴トリガー信号を含む）を動的印刷のためにデジタル印刷デバイスに対して提供することができる。これに代えて、信号はエンコーダによって提供できるが、これは印刷圧胴に対して割り当てられる。
【００２２】
本発明に基づく、そうしたデジタル印刷デバイスを備えたリール供給式印刷機は請求項１１において規定される。
【００２３】
本発明の好ましい、さらなる展開は従属請求項ならびに以下の説明から得られる。本発明の代表的実施形態について、図面を参照して、さらに詳しく説明するが、本発明はこれに限定されるものではない。
【図面の簡単な説明】
【００２４】
【図１】リール供給式印刷機内で静的に印刷された基体ウェブの動的印刷のためのデジタル印刷デバイスを備えたリール供給式印刷機の概略図である。
【図２】動的印刷のためのデジタル印刷デバイスのブロック図である。
【発明を実施するための形態】
【００２５】
図１は、複数の印刷タワー１１，１２および１３を備えたリール供給式印刷機１０を大まかに示しており、図示する代表的実施形態における印刷タワー１１，１２および１３のそれぞれは、上下に重なり合って配置された二つの印刷ユニット１４を備える。各印刷タワー１１，１２および１３は全てのプリントコピーに関して同じである、したがって静的であるプリントイメージを伴う基体ウェブ１５，１６および１７の静的印刷のために機能する。印刷タワー１１，１２および１３において静的に印刷された基体ウェブ１５，１６および１７は、フォーマー１８を経て折り曲げ装置１９に供給できる。リワインダーあるいはシーターといった別なさらなる処理デバイスを、これに代えてもよい。
【００２６】
印刷される基体ウェブ１５，１６および１７は、リールチェンジャー２０の領域における対応する基体リールから巻き戻される。印刷機制御ステーション２１によって、リール供給式印刷機１０の静的印刷プロセスを制御し、あるいは調節することができる。
【００２７】
図１によれば、静的に印刷された基体ウェブ１５の動的印刷のためのデジタル印刷デバイスがリール供給式印刷機１０に組み込まれており、ここで、動的印刷のためのこのデジタル印刷デバイスは、少なくとも一つのデジタル印刷ヘッド２２を備えており、これは、少なくとも一つのポジションセンサー２３と共に、基体ウェブ１５の搬送方向と交差するように少なくとも一つのクロスメンバー２４上に再配置可能に搭載されている。以下では、分かりやすくするために、単一のポジションセンサー２３が、少なくとも一つのデジタル印刷ヘッド２２と共に、単一のクロスメンバー２４上に再配置可能に搭載されていると仮定する。
【００２８】
ポジションセンサーは、例えばカメラであってもよく、これは、上記あるいは各デジタル印刷ヘッド２２によって基体ウェブの動的印刷のための印刷ポジションをここから特定するために、例えば、静的プリントイメージあるいはプリントマークを捕える。デジタル印刷ヘッド制御部２５は、静的に印刷された基体ウェブ１５の動的印刷の制御あるいは調整のために機能する。
【００２９】
図２は、制御側における、リール供給式印刷機での動的印刷のためのデジタル印刷デバイスの一体化の詳細を示しており、ここで、静的に印刷された基体ウェブの動的印刷のためのデジタル印刷デバイスは、インターフェース２６を介して、リール供給式印刷機１０の単一源２７から信号２８の供給を受けることができ、この信号２８は、一方では、リール供給式印刷機の速度信号を備え、そして他方では、リール供給式印刷機の胴トリガー信号を備える。
【００３０】
胴トリガー信号に依存して、ポジションセンサー２３は、静的に印刷されかつさらに動的に印刷されるかあるいは既に動的に印刷された基体ウェブ１５を測定し、そしてデジタル印刷デバイスにとってポジションセンサー制御部２９の対応する測定値３０を利用可能とするが、ポジションセンサー２９は、胴トリガー信号に依存し、かつ、ポジションセンサー２３の測定値に依存して、リール供給式印刷機の胴トリガー信号からデジタル印刷デバイスのための同期信号３１を決定し、あるいは発生させ、この同期信号３１を、デジタル印刷ヘッド制御部２５にとって利用可能とする。
【００３１】
ポジションセンサー制御部２９は、さらに、胴トリガー信号に、そしてポジションセンサー２３の測定値３０に依存して、基体ウェブ１５の動的印刷のためのインプレッションポジションを調整し、そして、このために、対応する制御信号３２によってクロスメンバー２４を作動させる。
【００３２】
本発明に基づく動的印刷のためのデジタル印刷デバイスは、さらに、速度信号トランスフォーマ３３を備えるが、これは、リール供給式印刷機の速度信号に依存し、かつ、デジタルプリントの所定の動的プリント解像度に依存して、そして好ましくはリール供給式印刷機の胴外周に依存して、リール供給式印刷機の速度信号からデジタル印刷デバイスのための供給信号３４を発生させ、この供給信号３４をデジタル印刷ヘッド制御部２５にとって利用可能とする。
【００３３】
デジタル印刷デバイスのデジタル印刷ヘッド制御部２５は、供給信号３４および同期信号３１に依存して、上記あるいは各デジタル印刷ヘッド２２のための作動信号３５を発生させ、したがって、同期信号３１に依存しかつ供給信号３４に依存して、上記あるいは各印刷ヘッド２２を作動させる。
【００３４】
上述した全てのデータあるいは信号２８，３０，３１，３２，３４および３５は動的印刷に関して時間制約的であり、かつ、好ましくはハードウエア信号として、制御部側に付随するハードウエアアセンブリ２７，２３，２９，２４，３３，２５，２２間で交換される。リール式印刷機の信号源２７は、したがって、好ましくはハードウエア信号として信号２８を利用可能とする。信号３０，３２，３１，３４および３５は、好ましくは、付随するアセンブリ２３，２９，２４，３３，２５および２２間でハードウエア信号として交換される。
【００３５】
さらに、ポジションセンサー２３、ポジションセンサー制御部２９、速度信号トランスフォーマ３３、デジタル印刷ヘッド制御部２５およびデジタル印刷デバイスのオペレータインターフェース３６（これは好ましくは印刷機制御ステーション２１の一体部分である）はネットワーク３７に接続されており、これを介して、同じデータを好ましくはネットワーク信号、すなわち動的印刷のために非時間制約的であるそうしたデータとして交換することができる。
【００３６】
したがって、特に、オペレータインターフェース３６を介して好ましくはネットワーク信号として、付随するアセンブリへと動的印刷のためのプリセット値、たとえば、速度信号トランスフォーマ３３において必要とされる所望の動的プリント解像度および/またはポジションセンサー２３のために必要とされる輝度およびコントラストデータおよび/またはポジションセンサー制御部２９において必要とされる動的印刷のプリントポジションに関する設定値を伝送することが可能である。
【００３７】
こうしたプレセット値はオペレータインターフェース３６を介して入力でき、かつ、ネットワーク３７を介して好ましくは非時間制約的ネットワークデータとして付随するアセンブリにとって利用可能となることができる。
【００３８】
図２から明らかであるように、リール供給式印刷機の、そしてリール供給式印刷機において静的に印刷された基体ウェブの動的印刷のためのデジタル印刷デバイスのコンポーネントは、一方で、時間制約的データをハードウエア信号として、そして、他方で非時間制約的データをネットワーク信号として交換する。そうしたデータ通信は特に有利である。なぜなら、これによって、リール供給式印刷機内でのデジタル印刷デバイスの簡単な一体化が一方で保証され、そして他方では、容易な操作性を保証できるからである。
【００３９】
図２はさらに上記あるいは各デジタル印刷ヘッド２２の印刷インキ供給源３８のアセンブリを示しているが、印刷インキ供給源は、一方では、好ましくはハードウエア信号としての時間制約的データ３９を動的印刷のためのデジタル印刷ヘッド制御部２５と、そして好ましくはネットワーク３７を介したネットワーク信号としての非時間制約的データをその他のアセンブリと交換する。ネットワーク３７を介した、ポジションセンサー２３、ポジション制御部２９、速度信号トランスフォーマ３３、オペレータインターフェース３６、デジタル印刷ヘッド制御部２５および印刷インキ供給源３８のデータ交換は、付随するアセンブリの大まかに示すネットワークインターフェース４０を介して実施される。
【００４０】
リール式印刷機の信号源２７（これは、ハードウエア信号の形態のインターフェース２６を介した速度信号および胴トリガー信号を含む信号２８を利用可能とする）は、リール供給式印刷機の中央ピックアップ、あるいは印刷機胴に割り当てられたリール供給式印刷機のエンコーダである。デジタル印刷デバイスは、単に、単一のそうしたシステムを必要とするだけであり、これは、リール供給式印刷機の単一の信号源２７によって提供される。リール供給式印刷機の既存の調整システムへの介入は必要とされない。
【００４１】
ポジションセンサー制御部２９（これは同期信号３１を形成する）は、リール供給式印刷機の胴トリガー信号に依存して、したがってまたリール供給式印刷機１０の各胴回転に関する胴トリガーインパルスの数に依存して、同期信号３１を決定する。
【００４２】
リール供給式印刷機のライン内での、静的に印刷された基体ウェブの動的印刷のためのデジタル印刷デバイスは、動的インプレッションを伴う静的に印刷された基体ウェブの、ユーザーフレンドリーな様式での個別化を可能とする。デジタル印刷デバイスは、特にウェブテンションに影響を与えるプロセスパラメーターに対する動的プリントイメージのポジション公差を低減することによって、セットアップ時間を短縮することを、したがって仕損じ値を低くすることを可能とする。プリント解像度および動的インプレッションに関するプリントポジションは、ユーザーフレンドリーな様式で、リール供給式印刷機の状況に固定的に適合可能である。オペレータインターフェース２６は好ましくは制御ステーション２１内で一体化されるので、静的印刷および動的印刷のパラメーターは、制御ステーションにおいて集中モニターし、そして変更することができる。モバイル型オペレータインターフェースを介したモバイル式操作もまた可能である。
【符号の説明】
【００４３】
１０  リール供給式印刷機
１１  印刷タワー
１２  印刷タワー
１３  印刷タワー
１４  印刷ユニット
１５  基体ウェブ
１６  基体ウェブ
１７  基体ウェブ
１８  フォーマー
１９  折り曲げ装置
２０  リールチェンジャー
２１  印刷機制御ステーション
２２  デジタル印刷ヘッド
２３  ポジションセンサー
２４  クロスメンバー
２５  デジタル印刷ヘッド制御部
２６  インターフェース
２７  信号源
２８  信号
２９  ポジションセンサー制御部
３０  測定値
３１  同期信号
３２  制御信号
３３  速度信号トランスフォーマ
３４  供給信号
３５  起動信号
３６  オペレータインターフェース
３７  ネットワーク
３８  印刷インク供給源
３９  データ
４０  ネットワークインターフェース
【図１】
2014040098.tif 000003
【図２】
2014040098.tif 000004